(57)【要約】【課題】例えば、石油化学プラント、工場などで使用される配管の継手部におけるガスケットなどの締付作業性などを実際の配管作業現場に近似した状態で評価試験することができる配管作業性評価試験装置を提供すること。【解決手段】配管作業性を評価試験するために使用される装置であって、評価対象用配管１と、当該評価対象用配管１の近傍に当該評価対象用配管１に対して直角方向に配設され、鉛直方向に移動可能な障害用可動性配管２ａ，２ｂとを有することを特徴とする配管作業性評価試験用装置。【選択図】図２
2013204662.tif 000002
【特許請求の範囲】
【請求項１】
配管作業性を評価試験するために使用される装置であって、評価対象用配管と、当該評価対象用配管の近傍に当該評価対象用配管に対して直角方向に配設され、鉛直方向に移動可能な障害用配管とを有することを特徴とする配管作業性評価試験用装置。
【請求項２】
評価対象用配管が配管の継手部を有する請求項１に記載の配管作業性評価試験用装置。
【請求項３】
評価対象用配管と平行に障害用平行配管が配設されてなる請求項１または２に記載の配管作業性評価試験用装置。
【請求項４】
評価対象用配管の評価対象箇所の近傍に歩廊が配設されてなる請求項１〜３のいずれかに記載の配管作業性評価試験用装置。
【請求項５】
評価対象用配管と平行となるように移動用レールが配設され、当該移動用レール上に歩廊が設けられている請求項４に記載の配管作業性評価試験用装置。
【発明の詳細な説明】
【技術分野】
【０００１】
本発明は、配管作業性評価試験装置に関する。さらに詳しくは、例えば、石油化学プラント、工場などで使用される配管の継手部におけるガスケットなどの締付作業性などを評価試験する際に好適に使用することができる配管作業性評価試験装置に関する。
【背景技術】
【０００２】
石油化学プラント、工場などにおける現場では、複数の配管が複雑に配置されていることがある。そのような箇所で配管の継手の締付けを行なうとき、他の配管が邪魔になり、作業員が継手の締付け作業を行なうことが困難となったり、締付け力が不足することにより、配管の継手部分から配管内の内容物が漏洩したりするおそれがある。
【０００３】
このような現場における作業性などは、作業現場の設計図面などによってある程度は改善することができる。しかし、設計図面だけでは作業員による作業性が十分に確保されているかどうかを的確に判断することは容易ではなく、前記作業現場に近似するように模擬的に作製された現場で実際に作業を行なわないと作業性が十分に確保されているかどうかを的確に判断することができない。
【０００４】
従来、金型の内部に形成された水冷孔の内部で発生する割れなどの損傷を実際の操業状態に擬似させて行なうための評価試験装置として、水冷孔の内部に応力集中部を形成した試験体と、当該試験体の水冷孔に温度制御された冷却水を流通させるための冷却水供給装置と、当該試験体を外部から加熱するための加熱装置とから構成された評価試験装置が提案されている（例えば、特許文献１参照）。
【０００５】
しかし、本件出願人がこれまでに調査したところでは、配管の継手部におけるガスケットなどの締付作業性などを評価試験する際に使用することができる配管作業性評価試験装置が記載された先行技術文献が発見されていない。
【先行技術文献】
【特許文献】
【０００６】
【特許文献１】特開２００７−２９８４６７号公報
【発明の概要】
【発明が解決しようとする課題】
【０００７】
本発明は、前記従来技術に鑑みてなされたものであり、例えば、石油化学プラント、工場などで使用される配管の継手部におけるガスケットなどの締付作業性などを実際の配管作業現場に近似した状態で評価試験することができる配管作業性評価試験装置を提供することを課題とする。
【課題を解決するための手段】
【０００８】
本発明は、配管作業性を評価試験するために使用される装置であって、評価対象用配管と、当該評価対象用配管の近傍に当該評価対象用配管に対して直角方向に配設され、鉛直方向に移動可能な障害用配管とを有することを特徴とする配管作業性評価試験用装置に関する。本発明の配管作業性評価試験用装置は、前記構成を有するので、配管の継手部におけるガスケットなどの締付作業性などを実際の配管作業現場に近似した状態で評価試験することができる。
【０００９】
本発明の配管作業性評価試験用装置は、評価対象用配管が配管の継手部を有する場合には、例えば、作業員が継手の締付け作業を行なうときに、障害用配管が邪魔になり、当該継手の締付け作業を行なうことが困難となるかどうかや、継手における締付け力が不足することにより、配管の継手部分から配管の内容物が漏洩したりするおそれがあるかどうかなどを評価したり、試験したりすることができる。
【００１０】
本発明の配管作業性評価試験用装置は、評価対象用配管と平行に障害用平行配管が配設されている場合には、より一層実際の配管作業現場に近似した状態で、配管の継手部におけるガスケットなどの締付作業性などを評価試験することができる。
【００１１】
本発明の配管作業性評価試験用装置は、評価対象用配管の評価対象箇所の近傍に歩廊が配設されている場合には、さらに実際の配管作業現場に近似した状態で、配管の継手部におけるガスケットなどの締付作業性などを評価試験することができる。
【００１２】
本発明の配管作業性評価試験用装置は、評価対象用配管と平行となるように移動用レールが配設され、当該移動用レール上に歩廊が設けられている場合には、さらに実際の配管作業現場に近似した状態で、配管の継手部におけるガスケットなどの締付作業性などを評価試験することができる。
【発明の効果】
【００１３】
本発明の配管作業性評価試験装置を用いることにより、配管の継手部におけるガスケットなどの締付作業性などを実際の配管作業現場に近似した状態で評価試験する際に使用することができるという優れた効果が奏される。
【図面の簡単な説明】
【００１４】
【図１】本発明の配管作業性評価試験装置の一実施態様を示す概略正面図である。
【図２】本発明の配管作業性評価試験装置の一実施態様を示す概略平面図である。
【発明を実施するための形態】
【００１５】
本発明の配管作業性評価試験装置は、前記したように、配管作業性を評価試験するために使用される装置であり、評価対象用配管と、当該評価対象用配管の近傍に当該評価対象用配管に対して直角方向に配設され、鉛直方向に移動可能な障害用配管とを有することを特徴とする。
【００１６】
なお、本明細書において、「配管作業性」は、配管作業を効率よく行なうことができるかどうかということと、配管作業を的確に行なうことができるかどうかということの双方の意味を包含するものである。
【００１７】
以下に、本発明の配管作業性評価試験装置を図面に基づいて説明するが、本発明は、かかる図面に記載の実施態様のみに限定されるものではない。
【００１８】
図１は、本発明の配管作業性評価試験装置の一実施態様を示す概略正面図である。また、図２は、本発明の配管作業性評価試験装置の一実施態様を示す概略平面図である。
【００１９】
配管作業性評価試験装置は、図２に示されるように、評価対象用配管１と、当該評価対象用配管１の近傍に当該評価対象用配管１に対して直角方向に配設され、鉛直方向に移動可能な障害用配管２ａ，２ｂとを有する。評価対象用配管１は、実際の作業現場で配管作業を行なう際に用いられる配管を意味する。また、障害用配管２ａ，２ｂは、実際の作業現場で配管作業を行なう際に配管作業の障害となる配管を意味する。
【００２０】
図１および図２には、障害用配管２ａ，２ｂが２本設けられているときの配管作業性評価試験装置の実施態様が記載されているが、障害用配管２ａ，２ｂの数は、実際の作業現場に応じて適宜調整することが適切であることから、必ずしも２本としなければならないことはなく、実際の作業現場で配管作業を行なう際に配管作業の障害となる配管の本数、例えば、１〜５本であってもよい。評価対象用配管１の近傍に当該評価対象用配管１に対して直角方向に障害用配管２ａ，２ｂが設けられるが、前記「評価対象用配管１の近傍」は、実際の作業現場で配管作業を行なう際に障害となる配管と実際の配管作業の対象となる配管との間隔で離れていることを意味する。評価対象用配管１と障害用配管２ａ，２ｂとの間隔などの位置関係、評価対象用配管１および障害用配管２ａ，２ｂの直径などについても任意であり、実際の作業現場で使用される配管および障害となる配管などに応じて適宜調整することが好ましい。
【００２１】
障害用配管２ａ，２ｂは、それぞれ上下移動装置３ａ，３ｂに取り付けられている。上下移動装置３ａ，３ｂは、障害用配管２ａ，２ｂが鉛直方向に移動可能なように鉛直方向に配設されている。上下移動装置３ａ，３ｂの長さは、任意であり、実際の作業現場に設けられている障害用配管２ａ，２ｂの位置を考慮して適宜設定することが好ましい。障害用配管２ａ，２ｂは、例えば、当該障害用配管２ａ，２ｂの両端部に取付部（図示せず）を設けておき、当該取付部により、上下移動装置３ａ，３ｂに取り付けることができる。障害用配管２ａ，２ｂが上下移動装置３ａ，３ｂに取り付けられる位置は、任意であり、実際の作業現場に応じて適宜調整することが好ましい。上下移動装置３ａ，３ｂの上端は、開放状態であってもよく、あるいは障害用配管２ａ，２ｂに設けられている取付部の抜け落ち防止のためにストッパーが設けられていてもよい。また、上下移動装置３ａ，３ｂの下端は、評価対象用配管１と障害用配管２ａ，２ｂの距離を調節するために、例えば、車輪やキャスター（図示せず）などを設けることにより、図２に示されるように、評価対象用配管１と平行となるように配設されたガイドレール４ａ，４ｂ上で評価対象用配管１に対して平行方向に移動可能となるように配設されていることが好ましい。
【００２２】
評価対象用配管１は、実際の作業現場で使用される配管と同様のものであることが、実際に使用される配管の継手部におけるガスケットなどの締付作業性などを的確に評価試験する観点から好ましい。評価対象用配管１において、配管作業性の評価試験の対象が配管の継手部におけるガスケットなどの締付作業性である場合には、当該評価対象用配管１には、例えば、継手部５などを配設することができる。評価対象用配管１の継手部５にガスケットを用いる場合には、当該継手部５で容易にガスケットを取り付けることができるかどうかや、当該継手部５で適切な締付力がガスケットに負荷されるように作業することができるかどうかなどを評価したり、試験したりすることができる。なお、適切な締付力がガスケットに負荷されていない場合には、評価対象用配管１の継手部５で当該評価対象用配管１の内容物の漏洩が生じることになる。評価対象用配管１の継手部５で評価対象用配管１の内容物の漏洩が生じるかどうかは、例えば、評価対象用配管１を閉鎖系にし、その内圧を高くし、評価対象用配管１の継手部５で当該評価対象用配管１の内容物の漏洩が生じるかどうかを確認したり、評価対象用配管１の内圧の低下がないかどうかを圧力計で測定することによって確認することができる。
【００２３】
また、本発明の配管作業性評価試験用装置には、評価対象用配管１と平行に障害用平行配管６が配設されていてもよい。このように評価対象用配管１と平行に障害用平行配管６を配設した場合には、前記したように、より実際の配管作業現場に近似した状態で、配管の継手部５におけるガスケットなどの締付作業性などを評価試験することができる。図２に示される配管作業性評価試験用装置の実施態様では、障害用平行配管６は、４本設けられているが、障害用平行配管６の数は、実際の作業現場に応じて適宜調整することが適切であることから、必ずしも４本としなければならないことはなく、例えば、１〜５本であってもよい。また、評価対象用配管１と障害用平行配管６との間隔などの位置関係、障害用平行配管６の直径などについても任意であり、実際の作業現場に応じて適宜調整することが好ましい。したがって、障害用平行配管６は、実際の作業現場に応じた任意の位置に設置するために、例えば、移動用レール（図示せず）などを利用して配管作業性評価試験用装置の任意の位置に移動可能に配設されていることが好ましい。
【００２４】
本発明の配管作業性評価試験用装置においては、実際の作業現場に即するようにするために、評価対象用配管１の近傍に歩廊７が配設されていてもよい。このように歩廊７が配設されている場合には、さらに実際の配管作業現場に近似した状態で、評価対象用配管１の継手部５におけるガスケットなどの締付作業性などを評価試験することができる。歩廊７は、配管作業現場における作業用足場として利用することもできる。歩廊７は、評価対象用配管１と平行となるように配設された移動用レール８上で移動可能なように設けられていてもよい。歩廊７が移動用レール８上で容易に移動可能なようにするためには、例えば、歩廊７の下部に車輪やキャスター（図示せず）などを設けてもよい。このように、評価対象用配管１と平行となるように移動用レール８が配設され、当該移動用レール８上に歩廊７が設けられている場合には、実際の配管作業における位置に歩廊７を設置することができるので、配管の継手部におけるガスケットなどの締付作業性などをより的確に評価試験することができる。
【００２５】
本発明の配管作業性評価試験用装置においては、必要により、足場９が設けられていてもよい。足場９は、作業者が作業場所に移動する際の踏み台などとして利用することができる。足場９は、移動可能であってもよく、固定されていてもよく、あるいはその高さを容易に調節することができるものであってもよい。
【００２６】
さらに、本発明の配管作業性評価試験用装置においては、必要により、側柱１０が設けられていてもよい。この側柱１０に懸架台１１を配設し、当該懸架台１１にクレーン（図示せず）を取り付けた場合には、評価対象用配管１、障害用配管２ａ，２ｂ、障害用平行配管６などの移送、配置などが容易となる。
【００２７】
以上説明したように、本発明の配管作業性評価試験用装置は、例えば、評価対象用配管１に継手部５を取り付ける場合には、障害用配管２ａ，２ｂがその取付け作業の邪魔になって作業員が締付け作業を行なうことが困難となるかどうかや、継手部５における締付け力が不足することにより、評価対象用配管１の継手部５から当該評価対象用配管１の内容物が漏洩したりするおそれがあるかどうかなどを評価したり、試験したりすることができる。
【００２８】
したがって、本発明の配管作業性評価試験用装置を用いることにより、障害用配管２ａ，２ｂの高さおよびその位置、評価対象用配管１と障害用配管２ａ，２ｂとの間の距離などを適宜調節することにより、実際の配管作業現場に即して配管の継手部５におけるガスケットなどの締付作業が困難な状況を再現することができるので、作業現場の設計図面などに頼ることなく、例えば、石油化学プラント、工場などで使用される配管の継手部におけるガスケットなどの締付作業性などを的確に評価試験することができる。
【符号の説明】
【００２９】
１    評価対象用配管
２ａ  障害用配管
２ｂ  障害用配管
３ａ  上下移動装置
３ｂ  上下移動装置
４ａ  ガイドレール
４ｂ  ガイドレール
５    継手部
６    障害用平行配管
７    歩廊
８    移動用レール
９    足場
１０  側柱
１１  懸架台
【図１】
2013204662.tif 000003
【図２】
2013204662.tif 000004